(57)【要約】【課題】測定効率の低下を招くことなく、周波数変換部の出力をデジタルの信号列に変換するＡ／Ｄ変換器の入力ダイナミックレンジを向上させる。【解決手段】ローカル信号発生器２５で掃引周波数範囲が異なる複数のローカル信号Ｌａ〜Ｌｃを生成してそのいずれかを選択してミキサ２３に与えて入力信号の周波数変換を行うスペクトラムアナライザであって、その観測帯域全体を複数に分割して得られる分割帯域間の周波数特性のレベル差を帯域間レベル差記憶手段３０に予め記憶しておき、掃引制御部２６によってローカル信号が切り換えられるタイミングに、新たに選択されるローカル信号に対応した帯域間レベル差で周波数変換部２１の出力を補正してＡ／Ｄ変換器３６に入力させる。また、Ａ／Ｄ変換器３６の出力に対しては、帯域内レベル差記憶手段４１に記憶された帯域内レベル差に基づいてレベル補正する。【選択図】図１
2011080927.tif 000002
【特許請求の範囲】
【請求項１】
周波数掃引が可能なローカル信号をローカル信号発生器（２５）により生成して入力信号とともにミキサ（２３）に与え、該ミキサの出力から所定の中間周波数帯の信号をフィルタ（２４）で抽出する周波数変換部（２１）と、
前記入力信号のうち、指定された観測帯域の信号成分が前記周波数変換部の前記フィルタから時系列に出力されるように、前記ローカル信号発生器のローカル信号の周波数掃引制御を行う掃引制御部（２６）と、
前記周波数変換部の出力信号をサンプリングしてデジタルの信号列に変換するＡ／Ｄ変換器（３６）と、
前記ローカル信号の掃引中に前記Ａ／Ｄ変換器から出力される信号列を記憶し、周波数対信号強度のスペクトラム特性を求める信号解析部（４０）と、
前記信号解析部で得られたスペクトラム特性を波形表示する表示部（５０）とを有するスペクトラムアナライザにおいて、
前記ローカル信号発生器は、
最大の観測帯域を複数に分割し、該各分割帯域にそれぞれ対応した周波数範囲の掃引が可能な複数のローカル信号を生成し、そのいずれかを選択的に出力できるように構成され、
前記掃引制御部は、入力信号のうち、指定された観測帯域の信号成分が前記周波数変換部の前記フィルタから周波数順に時系列に出力されるように、前記ローカル信号発生器の各ローカル信号の周波数掃引と該ローカル信号の切り換え制御とを行うように構成されているとともに、
最大の観測帯域における前記周波数変換部の周波数特性を前記分割帯域毎に分けて得られる帯域間の周波数特性のレベル差を予め記憶している帯域間レベル差記憶手段（３０）と、
前記周波数変換部と前記Ａ／Ｄ変換器の間に設けられ、前記掃引制御部によってローカル信号が切り換えられるタイミングに、新たに選択されるローカル信号に対応した分割帯域の帯域間レベル差を前記帯域間レベル差記憶手段から読み出して、前記周波数変換部の出力信号の帯域間レベル差を補正して前記Ａ／Ｄ変換器に出力する帯域間レベル差補正手段（３１）と、
前記各分割帯域の周波数特性の帯域内のレベル差を記憶している帯域内レベル差記憶手段（４１）と、
前記信号解析部が生成するスペクトラム特性の前記各分割帯域内のレベル差を前記帯域内レベル差記憶手段に記憶されている前記帯域内レベル差に基づいて補正する帯域内レベル差補正手段（４２）とを備えたことを特徴とするスペクトラムアナライザ。
【発明の詳細な説明】
【技術分野】
【０００１】
本発明は、周波数掃引されるローカル信号と入力信号とをミキシングして、所望の観測帯域の信号成分を時系列に所定の中間周波数帯に変換し、これをＡ／Ｄ変換器によりサンプリングしてデジタルの信号列に変換し、スペクトラム解析を行うスペクトラムアナライザにおいて、Ａ／Ｄ変換器の入力ダイナミックレンジを向上させるための技術に関する。
【背景技術】
【０００２】
スペクトラムアナライザは、所望観測帯域のどの周波数にどのようなレベルの信号が存在するかを示すスペクトラム波形を表示する装置であり、一般的に図７に示す基本構成を有している。
【０００３】
即ち、入力信号ＳＩＮは、周波数変換部１１のミキサ１２に入力され、ローカル信号発生器１３からのローカル信号Ｌとミキシングされ、その差または和（以下の説明では差とする）の周波数成分のうち、所定の中間周波帯の信号成分Ｍがフィルタ１４によって抽出される。
【０００４】
ここで、フィルタ１４の通過中心周波数をＦＩＦ、ローカル信号Ｌの周波数をＦＬとし、中間周波帯へ変換しようとする解析対象信号の周波数ＦＩＮよりローカル周波数が高い上側ヘテロダインでミキシングすると仮定すると、
ＦＬ−ＦＩＦ＝ＦＩＮ
の関係が成り立つ。
【０００５】
ここで、例えば、ＦＩＦ＝１ＧＨｚとし、ローカル周波数ＦＬを１．１ＧＨｚから２ＧＨｚまで掃引すれば、解析対象信号の周波数ＦＩＮは、１００ＭＨｚから１ＧＨｚまで変化することになる。つまり、フィルタ１４からは、入力信号のうち、１００ＭＨｚから１ＧＨｚまでの信号成分がその元の周波数順に時系列に抽出されることになる。
【０００６】
なお、ここでは周波数変換を１回行う回路例を示しているが、実際には周波数変換部１１内で複数回の周波数変換処理（一般的には固定周波数のローカル信号による）を行って、より低い周波数帯に変換している。
【０００７】
このローカル信号発生器１３は、例えばＰＬＬ（位相同期ループ）回路を有し、外部から与えられたデータに対応した周波数のローカル信号Ｌを出力できるように構成されており、そのローカル信号Ｌの周波数掃引は掃引制御部１５から入力される周波数データを順次更新することで行われる。
【０００８】
掃引制御部１５は、図示しない操作部によって指定された基準周波数（スタート周波数あるいはセンター周波数）、掃引幅（スパン）、取得サンプル数等に応じて、ローカル信号Ｌの周波数を所定ステップで掃引させるとともに、その各周波数の情報ｆを後述する信号解析部１８に与える。
【０００９】
一方、周波数変換部１１から出力された信号Ｍは、Ａ／Ｄ変換器１７により所定のサンプリング周期（フィルタ１４の通過帯域の上限の２倍以上の周波数）でサンプリングされ、そのサンプリングで得られたデジタルの信号列Ｄｍが信号解析部１８に入力される。
【００１０】
信号解析部１８では、掃引によって得られたデジタルの信号列Ｄｍと周波数情報ｆとを対応付けて受けて図示しないメモリに格納し、指定された帯域制限処理などを行って観測帯域内における周波数対信号強度Ｓ（ｆ）の特性、即ちスペクトラム特性を求める。表示部１９は、そのスペクトラム特性の波形を例えば図８のように画面に表示させる。
【００１１】
上記のような基本構成をもつスペクトラムアナライザで、要求される最大の観測帯域が、一つのローカル信号発生器の掃引周波数幅に比べて格段に広い場合がある。
【００１２】
また、近年では、コストダウンのために、広い掃引幅をもち信号純度の高い高価な発振器（ＹＴＯ）のかわりに、掃引幅は狭いが安価な発振器（ＶＣＯ）を用いて装置を構成したいという要求もある（例えば、特許文献１）。
【００１３】
このような場合には、例えば図９に示すように、要求される最大の観測帯域を複数（この場合３つ）に分割し、その各分割帯域にそれぞれ対応する掃引周波数範囲のローカル信号Ｌａ〜Ｌｃをそれぞれ出力する信号発生器１３ａ〜１３ｃと、それらの出力を選択するスイッチ１３ｄとでローカル信号発生器１３を構成する。
【００１４】
そして、掃引制御部１５は、二つ以上の分割帯域を含む観測帯域が指定された場合に、各信号発生器１３ａ〜１３ｃの掃引制御とスイッチ１３ｄの切り換え制御を行って対応する。
【先行技術文献】
【特許文献】
【００１５】
【特許文献１】特開平０８−２０１４５０号公報
【発明の概要】
【発明が解決しようとする課題】
【００１６】
しかしながら、広い観測帯域を有するスペクトラムアナライザでは、周波数変換部１１の周波数特性が全域で一定ではなく、一般的に図１０のように、周波数が高くなるほど利得が低下する周波数特性Ｇを持っている。この利得低下は、その振幅特性を解析するスペクトラムアナライザの場合、測定誤差の直接的な要因となる。特に、上記のように複数の信号発生器を用いてカバーしなくてはならないほど観測帯域が広い場合には、その利得の低下も大きくなる。
【００１７】
したがって、通常はレベル既知の基準信号を用いて周波数変換部の周波数特性Ｇを求めて、信号解析部１８の内部のメモリに記憶しておき、未知の信号の解析を行う場合には、入力された信号列に対して周波数特性Ｇに応じた補正処理を行う、あるいは、未補正のデータを用いて生成したスペクトラム特性に対して周波数特性Ｇに応じた補正処理を行い、補正処理されたスペクトラム波形を表示している。
【００１８】
また、レベル管理に関して言えば、Ａ／Ｄ変換器１７は入力上限レベルが規定されており、それを越えないように、入力信号ＳＩＮのレベルを入力側アッテネータ（図示せず）によってリファレンスレベルに合わせる処理が必要で、通常は上記周波数特性Ｇを考慮し、安全をみて観測帯域の低域側の信号をリファレンスレベルに合わせている。
【００１９】
ところが、上記したように観測帯域が広い場合で低域側の信号をリファレンスレベルに合わせたとき、高域側の信号成分は周波数特性Ｇにより大きく減衰されてＡ／Ｄ変換器１７に入力されることになり、一つの観測帯域内で高域側になる程ダイナミックレンジが低下し、Ｓ／Ｎが小さくなってしまう。
【００２０】
このＳ／Ｎの劣化は、例えば平均化処理を行ってランダム性の雑音を抑圧することで改善できるが、平均化処理を高域側に合わせて行おうとすれば、その平均化の回数が多くなり、測定時間が長くなる。
【００２１】
しかも、前記したようにＰＬＬ回路等で構成される信号発生器の切り換え処理に伴うセットアップ時間も必要であり、１掃引当たりの測定時間がさら長くなってしまい、例えば機器の製造ラインでの検査を行う場合に効率が大幅な低下を招く。
【００２２】
本発明は、この問題を解決して、測定効率の低下を招くことなく、周波数変換部の出力をデジタルの信号列に変換するＡ／Ｄ変換器の入力ダイナミックレンジを向上させたスペクトラムアナライザを提供することを目的としている。
【課題を解決するための手段】
【００２３】
前記目的を達成するために、本発明のスペクトラムアナライザは、
周波数掃引が可能なローカル信号をローカル信号発生器（２５）により生成して入力信号とともにミキサ（２３）に与え、該ミキサの出力から所定の中間周波数帯の信号をフィルタ（２４）で抽出する周波数変換部（２１）と、
前記入力信号のうち、指定された観測帯域の信号成分が前記周波数変換部の前記フィルタから時系列に出力されるように、前記ローカル信号発生器のローカル信号の周波数掃引制御を行う掃引制御部（２６）と、
前記周波数変換部の出力信号をサンプリングしてデジタルの信号列に変換するＡ／Ｄ変換器（３６）と、
前記ローカル信号の掃引中に前記Ａ／Ｄ変換器から出力される信号列を記憶し、周波数対信号強度のスペクトラム特性を求める信号解析部（４０）と、
前記信号解析部で得られたスペクトラム特性を波形表示する表示部（５０）とを有するスペクトラムアナライザにおいて、
前記ローカル信号発生器は、
最大の観測帯域を複数に分割し、該各分割帯域にそれぞれ対応した周波数範囲の掃引が可能な複数のローカル信号を生成し、そのいずれかを選択的に出力できるように構成され、
前記掃引制御部は、入力信号のうち、指定された観測帯域の信号成分が前記周波数変換部の前記フィルタから周波数順に時系列に出力されるように、前記ローカル信号発生器の各ローカル信号の周波数掃引と該ローカル信号の切り換え制御とを行うように構成されているとともに、
最大の観測帯域における前記周波数変換部の周波数特性を前記分割帯域毎に分けて得られる帯域間の周波数特性のレベル差を予め記憶している帯域間レベル差記憶手段（３０）と、
前記周波数変換部と前記Ａ／Ｄ変換器の間に設けられ、前記掃引制御部によってローカル信号が切り換えられるタイミングに、新たに選択されるローカル信号に対応した分割帯域の帯域間レベル差を前記帯域間レベル差記憶手段から読み出して、前記周波数変換部の出力信号の帯域間レベル差を補正して前記Ａ／Ｄ変換器に出力する帯域間レベル差補正手段（３１）と、
前記各分割帯域の周波数特性の帯域内のレベル差を記憶している帯域内レベル差記憶手段（４１）と、
前記信号解析部が生成するスペクトラム特性の前記各分割帯域内のレベル差を前記帯域内レベル差記憶手段に記憶されている前記帯域内レベル差に基づいて補正する帯域内レベル差補正手段（４２）とを備えたことを特徴としている。
【発明の効果】
【００２４】
このように本発明のスペクトラムアナライザでは、掃引周波数範囲が異なる複数のローカル信号を生成してそのいずれかを選択して入力信号とともにミキサに与えて周波数変換を行うように構成された広い観測帯域を有するスペクトラムアナライザであっても、その観測帯域を複数に分割して得られる分割帯域間の周波数特性のレベル差と分割帯域内のレベル差を予め記憶しておき、掃引制御部によってローカル信号が切り換えられるタイミングに、新たに選択されるローカル信号に対応した帯域間レベル差で周波数変換部の出力が補正されてＡ／Ｄ変換器に入力されるので、Ａ／Ｄ変換器への入力レベルの低下が阻止され、そのＡ／Ｄ変換器の出力に対しては、帯域内レベル差により補正されので、Ａ／Ｄ変換器の入力ダイナミックレンジを高く維持でき、Ｓ／Ｎの低下を防止できる。
【００２５】
また、掃引中に行われる帯域間レベル差の変更は、ローカル信号の切り換えタイミングに同期して行われ、このローカル信号の切り換えには、通常ＰＬＬ回路のセットアップ時間等が含まれているので、その間に帯域間のレベル差の変更処理を完了することができる。
【００２６】
したがって、帯域間レベル差の変更設定による処理遅延は発生せず、測定効率の低下を招くことなく、周波数変換部の出力をデジタルの信号列に変換するＡ／Ｄ変換器の入力ダイナミックレンジを向上させることができる。
【図面の簡単な説明】
【００２７】
【図１】本発明の実施形態の構成を示す図
【図２】周波数変換部の周波数特性と分割帯域間のレベル差を示す図
【図３】帯域間レベル差を補正するためのデータ例
【図４】帯域間レベル差が補正された状態の周波数特性図
【図５】帯域内レベル差を補正するためのデータ例
【図６】帯域内レベル差が補正された状態の周波数特性図
【図７】スペクトラムアナライザの基本構成図
【図８】測定で得られたスペクトラム波形の一例を示す図
【図９】掃引範囲が異なる複数のローカル信号を用いた構成を示す図
【図１０】周波数変換部の周波数特性図
【発明を実施するための形態】
【００２８】
以下、図面に基づいて本発明の実施の形態を説明する。
図１は、本発明を適用したスペクトラムアナライザ２０の構成を示している。
【００２９】
図１において、解析対象の入力ＳＩＮは、周波数変換部２１の入力アッテネータ２２を介してミキサ２３に入力され、ローカル信号発生器２５から出力されるローカル信号Ｌとミキシングされ、そのミキサ２３の出力が所定の中間周波数帯のフィルタ２４に入力される。
【００３０】
ローカル信号発生器２５は、広い観測帯域を実現するために、その最大の観測帯域を複数（ここでは３つ）に分割し、各分割帯域の信号成分を中間周波帯に変換できる掃引周波数範囲をそれぞれもつローカル信号Ｌａ〜Ｌｃを出力する信号発生器２５ａ〜２５ｃと、これら信号発生器２５ａ〜２５ｃから出力されるローカル信号Ｌａ〜Ｌｃのいずれかを選択するスイッチ２５ｄにより構成されている。
【００３１】
前記したように、フィルタ２４の通過中心周波数をＦＩＦ、ローカル信号の周波数をＦＬ、中間周波帯へ変換しようとする解析対象信号の周波数ＦＩＮよりローカル周波数が高い上側ヘテロダインでミキシングすると仮定すると、
ＦＬ−ＦＩＦ＝ＦＩＮ
の関係が成り立つ。
【００３２】
また、最大の観測帯域を、Ｆ０〜Ｆ１、Ｆ１〜Ｆ２、Ｆ２〜Ｆ３の周波数範囲の分割帯域に分けたとすると、各ローカル信号Ｌａ〜Ｌｃの掃引周波数範囲Ｗａ〜Ｗｃは次のようになる。
【００３３】
Ｗａ＝Ｆ０＋ＦＩＦ〜Ｆ１＋ＦＩＦ
Ｗｂ＝Ｆ１＋ＦＩＦ〜Ｆ２＋ＦＩＦ
Ｗｃ＝Ｆ２＋ＦＩＦ〜Ｆ３＋ＦＩＦ
【００３４】
なお、ここでは説明が容易なように各分割帯域が境界周波数Ｆ１、Ｆ２で分かれている場合について説明するが、各分割帯域を若干オーバーラップさせて、境界周波数近くでのローカル信号の切換頻度を減らし、掃引速度を短縮させることも可能である。
【００３５】
これらの信号発生器２５ａ〜２５ｃは、例えばＰＬＬ回路により外部から与えられたデータに対応した周波数のローカル信号Ｌを出力できるように構成されており、そのローカルＬの周波数掃引は、掃引制御部２６から順次入力されるデータの更新によって行われる。
【００３６】
なお、ここでは理解しやすいように、独立した３つの信号発生器２５ａ〜２５ｃから、それぞれ掃引周波数が異なるローカル信号Ｌａ〜Ｌｃを出力する構成としているが、例えばＰＬＬ構成の一つの信号発生器の出力信号と、それを逓倍回路で２倍あるいは４倍に逓倍してその逓倍成分をフィルタにより抽出する構成を用いて、掃引周波数が異なる複数のローカル信号を生成し、そのいずれかをスイッチで選択する構成を採用できる。
【００３７】
また、ここでは周波数変換を１回行う回路例を示しているが、実際には周波数変換部２１内で複数回の周波数変換処理（一般的には固定周波数のローカル信号による）を行って、より低い周波数帯に変換している。
【００３８】
掃引制御部２６は、操作部２７によって指定された基準周波数（スタート周波数あるいはセンター周波数）、掃引幅（スパン）、取得サンプル数等に応じて、ローカル信号Ｌの周波数を所定ステップで掃引させ、入力信号のうち、操作部２７によって指定された解析対象範囲の信号成分が周波数変換部２１のフィルタ２４から元の周波数順に時系列に出力されるように、ローカル信号発生器２５の各ローカル信号Ｌａ〜Ｌｃの周波数掃引と切り換え制御とを行う。
【００３９】
つまり、指定された観測帯域が３つの分割帯域のいずれか１つしか含まれない場合には、その分割帯域に対応するローカル信号のみを選択して、指定された観測範囲に対応する周波数範囲を掃引させる。
【００４０】
また、指定された観測帯域に二つ以上の分割帯域が含まれる場合には、その分割帯域の最も低い周波数の帯域に対応したローカル信号を選択してこれを上限まで掃引し、そのあとに、それに続く分割帯域に対応したローカル信号を選択して下限から掃引を開始する。この処理を指定された観測帯域の上限まで行い、一回の掃引を終了する。この一連の掃引処理を連続的に、あるいは一定回数繰り返すことで、スペクトラム特性の波形生成に必要な情報を取得させる。
【００４１】
掃引制御部２６は、上記制御を行いつつ、どのローカル信号を選択しているか、つまりどの分割帯域の信号を周波数変換しているかを示す帯域情報Ｂと、解析周波数情報ｆとを出力する。
【００４２】
なお、操作部２７は、上記した掃引に関する周波数の情報の設定機能の他に入力アッテネータ２２の減衰量を設定する機能も有している。
【００４３】
周波数変換部２１のフィルタ２４の出力信号Ｍは、帯域間レベル差補正手段３１に入力される。
【００４４】
一方、帯域間レベル差記憶手段３０には、図２に示すように、最大の観測帯域Ｆ０〜Ｆ３における周波数変換部２１の周波数特性Ｇを分割帯域毎に分けて得られる帯域間の周波数特性のレベル差の情報Ａ０〜Ａ２が予め記憶されている。図２において、観測帯域の下限周波数Ｆ０の損失Ａ０（ｄＢ）を基準とし、その基準に対する周波数Ｆ１のレベル差Ａ１、基準に対する周波数Ｆ２のレベル差Ａ２を予め求め、これを各帯域についての帯域間レベル差とし、例えば図３のように各帯域情報Ｂ０〜Ｂ２に対応付けて記憶する。
【００４５】
帯域間レベル差補正手段３１は、掃引制御部２６によってローカル信号が切り換えられるタイミングに、新たに選択されるローカル信号に対応した分割帯域の帯域間レベル差を帯域間レベル差記憶手段３０から読み出して、周波数変換部２１の出力信号Ｍの帯域間レベル差を補正してＡ／Ｄ変換器３６に出力する。
【００４６】
帯域間レベル差補正手段３１の構成をより具体的に説明すれば、信号Ｍを増幅する固定利得の増幅器３２、その出力を減衰する可変減衰器（ＡＴＴ）３３、掃引制御部２６からの帯域情報Ｂに対応した帯域間レベル差を帯域間レベル差記憶手段３０から読み出して、それに対応する減衰量を可変減衰器３３に設定して、帯域間レベル差を補正させる設定手段３４により構成されている。
【００４７】
例えば、ローカル信号Ｌａが選択されているとき（帯域Ｂ１の信号成分が周波数変換部２１から出力されているとき）には、レベル差（初期値）Ａ０に対応した基準減衰量Ｒが可変減衰器３３に設定される。また、ローカル信号Ｌｂが選択されているとき（帯域Ｂ２の信号成分が周波数変換部２１から出力されているとき）には、基準減衰量ＲよりＡ１だけ少ない減衰量（Ｒ−Ａ１）が可変減衰器３３に設定される。また、ローカル信号Ｌｃが選択されているとき（帯域Ｂ３の信号成分が周波数変換部２１から出力されているとき）には、基準減衰量ＲよりＡ２だけ少ない減衰量（Ｒ−Ａ２）が可変減衰器３３に設定される。
【００４８】
このため、周波数変換部２１と帯域間レベル差補正手段３１とを含めた周波数特性Ｇ′は、図４のように補正されることになり、全域にわたり大きな差がない周波数特性となり、特に高域側の利得低下なくなり、Ａ／Ｄ変換器３６の入力ダイナミックレンジが大幅に向上し、Ｓ／Ｎが高くなる。
【００４９】
なお、ここでは可変減衰器３３の減衰量を可変することで帯域間レベル差を補正する構成を説明したが、可変減衰器３３の代わりに可変増幅器を用い、その可変増幅器の利得を設定手段３４から設定して可変することで、帯域間レベル差を補正する構成としてもよい。
【００５０】
このようにして帯域間レベル差が補正さたれ状態でＡ／Ｄ変換器３６に入力された信号Ｍ′は、所定のサンプリング周期（フィルタ２４の通過帯域の上限周波数の２倍以上の周波数）でサンプリングされてデジタルの信号列Ｄｍに変換され、信号解析部４０に入力される。
【００５１】
信号解析部４０は、ローカル信号の掃引中にＡ／Ｄ変換器３６から出力され信号列を記憶し、その信号列に対して周波数対信号強度の特性を求める処理を行うが、その前処理あるいは後処理として、帯域内レベル差を補正するための処理を行う。
【００５２】
そのための構成として、帯域内レベル差記憶手段４１および帯域内レベル差補正手段４２を有している。
【００５３】
帯域内レベル差記憶手段４１には、図５に示すように、各分割帯域の周波数特性の帯域内のレベル差のＨａ（ｆ）〜Ｈｃ（ｆ）が記憶されている。この帯域内レベル差は、各帯域の低周波側の端を基準（０ｄＢ）とし、それに対する各周波数の減衰量である。
【００５４】
帯域内レベル差補正手段４２は、信号解析部４０に入力された信号列あるいはその信号列のについての帯域内レベル差、あるいは入力信号列から生成されたスペクトラム特性にの分割帯域内レベル差を、帯域内レベル差記憶手段４１に記憶されている帯域内レベル差に基づいて補正する。
【００５５】
これにより、周波数変換部２１から信号解析部４０までを含めた周波数特性は、図６のＧ″のように観測帯域全域でほぼフラットとなり、正確なレベル情報が得られる。
【００５６】
このように、実施形態のスペクトラムアナライザ２０では、掃引周波数範囲が異なる複数のローカル信号Ｌａ〜Ｌｃを生成してそのいずれかを選択して入力信号とともにミキサ２３に与えて周波数変換を行うように構成された広い観測帯域を有するスペクトラムアナライザであっても、その観測帯域を複数に分割して得られる分割帯域間の周波数特性のレベル差と分割帯域内のレベル差を予め記憶しておき、掃引制御部２６によってローカル信号が切り換えられるタイミングに、新たに選択されるローカル信号に対応した帯域間レベル差で周波数変換部２１の出力が補正されてＡ／Ｄ変換器３６に入力されるので、Ａ／Ｄ変換器３６への入力レベルの低下が阻止され、そのＡ／Ｄ変換器３６の出力に対しては、帯域内レベル差が補正されので、Ａ／Ｄ変換器３６の入力ダイナミックレンジを高く維持でき、Ｓ／Ｎの低下を防止できる。
【００５７】
また、掃引中に行われる帯域間レベル差の変更設定は、ローカル信号の切り換えタイミングに同期して行われ、このローカル信号の切り換えには、通常ＰＬＬ回路のセットアップ時間等が含まれているので、その間に帯域間のレベル差の変更設定処理を完了することができる。
【００５８】
したがって、帯域間レベル差の変更設定による処理遅延は発生せず、測定効率の低下を招くことなく、周波数変換部の出力をデジタルの信号列に変換するＡ／Ｄ変換器の入力ダイナミックレンジを向上させることができる。
【符号の説明】
【００５９】
２０……スペクトラムアナライザ、２１……周波数変換部、２２……入力アッテネータ、２３……ミキサ、２４……フィルタ、２５……ローカル信号発生器、２５ａ〜２５ｃ……信号発生器、２５ｄ……スイッチ、２６……掃引制御部、２７……操作部、３０……帯域間レベル差記憶手段、３１……帯域間レベル差補正手段、３２……増幅器、３３……可変減衰器、３４……設定手段、３６……Ａ／Ｄ変換器、４０……信号解析部、４１……帯域内レベル差記憶手段、４２……帯域内レベル差補正手段、５０……表示部
【図１】
2011080927.tif 000003
【図２】
2011080927.tif 000004
【図３】
2011080927.tif 000005
【図４】
2011080927.tif 000006
【図５】
2011080927.tif 000007
【図６】
2011080927.tif 000008
【図７】
2011080927.tif 000009
【図８】
2011080927.tif 000010
【図９】
2011080927.tif 000011
【図１０】
2011080927.tif 000012